(57)【要約】
【課題】衣料品の試着時において、試着者の顔や頭髪が衣類に直接接触することにより、口紅やファンデーションなどの化粧品や、整髪料が試着品に付着することを防止するフェイスカバーを提供するものである。あわせて、前記フェイスカバーの取り扱い及び取り出しを容易に、かつ衛生的に行うことができる箱入りフェイスカバーを提供する。
【解決手段】前面片１１と後面片１２の上端部１３及び側部１４，１５の略上半部１６が止着され下端部１８及び側部の略下半部１７が開放されてなる袋状カバー１０であって、前記袋状カバーは４つに折り曲げられ、該折り曲げられた半片が順次他の袋状カバーの折り曲げられた半片と交互に重ね合わせられて積層されているとともに、前記積層された袋状カバーが上面に取り出し開口部２１を有する箱体２０に収容され、前記取り出し開口部より袋状カバーを１枚ずつ順次引き出すことができるように構成されている。
【選択図】図２
0003100255.tif 000002
【実用新案登録請求の範囲】
【請求項１】
　前面片と後面片の上端部及び側部の略上半部が止着され下端部及び側部の略下半部が開放されてなる袋状カバーであって、前記袋状カバーは４つに折り曲げられ、該折り曲げられた半片が順次他の袋状カバーの折り曲げられた半片と交互に重ね合わせられて積層されているとともに、前記積層された袋状カバーが上面に取り出し開口部を有する箱体に収容され、前記取り出し開口部より袋状カバーを１枚ずつ順次引き出すことができるように構成されていることを特徴とする箱入りフェイスカバー。
【請求項２】
　前記箱体の取り出し開口部に引き出しスリットを有するプラスチックフィルム又は不織布の薄膜部が設けられている請求項１に記載の箱入りフェイスカバー。
【請求項３】
　前記箱体の取り出し開口部が前記箱体の上面の対角線状位置に形成されている請求項１又は２に記載の箱入りフェイスカバー。
【請求項４】
　同大の不織布よりなる前面片と後面片の上端部及び側部の略上半部が止着され下端部及び側部の略下半部が開放されてなることを特徴とするフェイスカバー。
【考案の詳細な説明】
【技術分野】
【０００１】
　本考案は、衣料品を頭からかぶって試着する際に顔や頭の化粧品が衣料品に付着することを防止するフェイスカバーに関し、さらに取り扱い及び取り出しを容易にした箱入りフェイスカバーに関する。
【背景技術】
【０００２】
　従来、デパートや衣料品店において、特にセーターや、ワンピースなどの頭からかぶるタイプの衣料品を試着する際に、試着者のファンデーションや口紅などの化粧品や、整髪料が衣服に付着してしまう問題がある。
【０００３】
　これに対し、試着室にスカーフや角を留めた布などを用意しておき、それを試着者に頭からかぶって衣類を試着するよう促すところもある。ところが、このスカーフなどは試着者の使い方によっては衣類に汚れをつけてしまうこともある。さらに、不特定多数の試着者が使用するものであるため、衛生的にも好ましくなく、試着者も嫌って使用を避けることがある。
【０００４】
　さらに最近では、実用新案登録第３０３７９８６号公報に示されるような、使い捨てフェイスカバーが提案されている。このフェイスカバーによれば、頭巾状に形成されているため試着時にずれたりにしくく、またその都度使い捨てであるために衛生的である。
【０００５】
　しかしながら、このフェイスカバーにあっては、頭部を覆う後頭部部分が顔面部分に比べ短く形成されているために、一般女性の長い髪の毛を覆いきれず、ワックスなどの整髪料が衣類のえりなどに付着してしまう場合がある。
【０００６】
　また、この種フェイスカバーは使い捨てであるために、大量に用意する必要があり、一般にはそのまま積層してビニール袋等に包装されて試着室や店内に配置されている。しかるに前記フェイスカバーは素材特性からも薄手で柔らかいものであるため、１枚だけ取り出すのが容易ではなく、複数枚一緒に取り出してしまったりすることがあり、その取り扱いが煩雑な問題がある。特に衛生面からみても、取り出すフェイスカバー以外にも触れながら取り出すこととなったり、前記のように必要以上に取り出されたフェイスカバーにはほこりが付いたり、汚れたりすることもあり好ましくない。
【０００７】
【特許文献１】実用新案登録番号第３０３７９８６号公報
【考案の開示】
【考案が解決しようとする課題】
【０００８】
　本考案は前記の点に鑑みなされたものであり、衣料品の試着時において、試着者の顔や頭髪が衣類に直接接触することにより、口紅やファンデーションなどの化粧品や、整髪料が試着品に付着することを防止するフェイスカバーを提供するものである。あわせて、前記フェイスカバーの取り扱い及び取り出しを容易に、かつ衛生的に行うことができる箱入りフェイスカバーを提供するものである。
【課題を解決するための手段】
【０００９】
　すなわち、請求項１の考案は、前面片と後面片の上端部及び側部の略上半部が止着され下端部及び側部の略下半部が開放されてなる袋状カバーであって、前記袋状カバーは４つに折り曲げられ、該折り曲げられた半片が順次他の袋状カバーの折り曲げられた半片と交互に重ね合わせられて積層されているとともに、前記積層された袋状カバーが上面に取り出し開口部を有する箱体に収容され、前記取り出し開口部より袋状カバーを１枚ずつ順次引き出すことができるように構成されていることを特徴とする箱入りフェイスカバーに係る。
【００１０】
　請求項２の考案は、前記箱体の取り出し開口部に引き出しスリットを有するプラスチックフィルム又は不織布の薄膜部が設けられている請求項１に記載の箱入りフェイスカバーに係る。
【００１１】
　請求項３の考案は、前記箱体の取り出し開口部が前記箱体の上面の対角線状位置に形成されている請求項１又は２に記載の箱入りフェイスカバーに係る。
【００１２】
　請求項４の考案は、同大の不織布よりなる前面片と後面片の上端部及び側部の略上半部が止着され下端部及び側部の略下半部が開放されてなることを特徴とするフェイスカバーに係る。
【考案の効果】
【００１３】
　請求項１の考案の箱入りフェイスカバーによれば、前面片と後面片の上端部及び側部の略上半部が止着され下端部及び側部の略下半部が開放されてなる袋状カバーであって、前記袋状カバーは４つに折り曲げられ、該折り曲げられた半片が順次他の袋状カバーの折り曲げられた半片と交互に重ね合わせられて積層されているとともに、前記積層された袋状カバーが上面に取り出し開口部を有する箱体に収容され、前記取り出し開口部より袋状カバーを１枚ずつ順次引き出すことができるように構成されているため、前記フェイスカバーの取り扱い及び取り出しを容易に、かつ衛生的に行うことができる。
【００１４】
　また、請求項２の考案の箱入りフェイスカバーによれば、前記箱体の取り出し開口部に引き出しスリットを有するプラスチックフィルム又は不織布の薄膜部が設けられているため、袋状カバーを取り出す際に、次に連続して引き上げられた袋状カバーが引き出しスリット間の適度なテンションにより、前の袋状カバーと引き離されて袋状カバーを箱体から１枚ずつ取り出すことができるとともに、次の袋状カバーが取り出しスリットから突出した状態とすることができる。また、袋状カバーの取り出し時以外には、箱体と袋状カバーの隙間を柔軟にふさぐことによって、袋状カバーが箱体内に再び落ち込んでしまうことなく保持するとともに、箱体内へのほこり等の侵入を防ぐことができる。
【００１５】
　さらに請求項３の考案の箱入りフェイスカバーによれば、前記箱体の取り出し開口部が前記箱体の上面の対角線状位置に形成されているため、広く取り出し開口部を形成することができ、フェイスカバーの取り出しをよりスムーズに行うことができる。
【００１６】
　また、請求項４の考案のフェイスカバーによれば、同大の不織布よりなる前面片と後面片の上端部及び側部の略上半部が止着され下端部及び側部の略下半部が開放されてなるため、確実に顔面や頭髪を覆うことができる。さらには、柔軟性、通気性及び透視性を備え、使い捨てで衛生的であるため、試着者も安心して着用することができる。
【考案を実施するための最良の形態】
【００１７】
　以下添付の図面に従ってこの考案を詳細に説明する。
　図１はこの考案に係るフェイスカバーの一実施例を示す斜視図、図２はこの考案に係る箱入りフェイスカバーの一実施例を示す斜視図、図３は図２の３−３断面図、図４は袋状カバーの折り畳んで積層する状態を模式的に表した図、図５は箱体の一実施例を示す斜視図、図６は袋状カバーの折り畳み状態の例を示す図、図７は同じく袋状カバーの折り畳み状態の例を示す図である。
【００１８】
　まず、この考案に係るフェイスカバーは、図１に示すように、前面片１１と後面片１２の上端部１３及び側部１４，１５の略上半部１６が止着され下端部１８及び側部１４，１５の略下半部１７が開放されてなる袋状カバー１０である。該袋状カバー１０は、上半部１６が頭部にかぶるキャップ部分となり、開放された下半部１７の前側１７Ａが顔面、後側１７Ｂが後頭部の髪の毛を覆う部分となって使用するものであるため、柔軟性、通気性及び透視性があるものが好ましい。
【００１９】
　実施例のフェイスカバーＦは、請求項４にも規定したように、ポリプロピレン繊維製の不織布を用いたもので、長方形状の不織布シートを半分に折り曲げ、略上半部１６の側端部１４，１５を融着により接合し、袋状としたものである。なお、前記袋状カバー１０の構造としては、同大２枚の不織布シートを重ね合わせて、その上端部１３及び側部１４，１５の略上半部１６を接合して形成したものでもよく、何ら限定するものではない。
【００２０】
　図２に示す箱入りフェイスカバーＦは、前記袋状カバー１０を４つに折り曲げ（図６及び図７参照）、該折り曲げた後ろ側半片１０ａを順次他の袋状カバー１０の折り曲げた前側の半片１０ｂと交互に重ね合わせて積層するとともに、図のような上面に取り出し開口部２１を有する箱体２０に収容したものである。この箱入りフェイスカバーＦによれば、前記袋状カバー１０を１枚ずつ順次引き出すことができる。交互に重ね合わせた袋状カバー１０は、図３の断面図及び図４の模式図にも示すように、引き出された１枚目の袋状カバー１０の重なった後半片１０ａが、次に重なった袋状カバー１０の前半片１０ｂを摩擦によって引き上げることにより、連続して次の袋状カバーを取り上げることを可能とする。
【００２１】
　前記箱体２０は、図５に示すように、上面に取り出し開口部２１を有するもので、実施例では、前記袋状カバー１０を４つに折り畳んで収容できるサイズとした紙製のもので、前記取り出し開口部２１には、請求項２に規定したように、引き出しスリット２６を有するプラスチックフィルム又は不織布の薄膜部２５が設けられている。この引き出しスリット２６は、袋状カバー１０を引き出す際に、次に連続して引き上げられた袋状カバー１０が引き出しスリット２６間の適度な摩擦力やテンションにより、前の袋状カバー１０と引き離されることによって、該袋状カバー１０を箱体２０から１枚ずつ取り出すことができるとともに、次の袋状カバー１０の前半片１０ａが取り出しスリット２６から突出した状態とすることができる。なお、実施例ではフェイスカバーＦを不織布より構成した関係で、摩擦力の大きい不織布の薄膜部としたが、柔軟性のあるプラスチックフィルムを使用してもよい。
【００２２】
　また、前記引き出しスリット２６を有する薄膜部２５は、袋状カバー１０の取り出し時以外において、箱体２０と袋状カバー１０の隙間を柔軟にふさぐことによって、袋状カバー１０が箱体２０内に再び落ち込んでしまうことなく保持するとともに、箱体２０内にほこり等の侵入を防ぐことができる。なお、箱体２０は図のように開閉可能に形成したものとすれば、詰め替えることもできる。
【００２３】
　さらに箱体の取り出し開口部２１は、請求項３に規定したように、前記箱体２０の上面の対角線状位置に形成されている。当該取り出し開口部２１は箱体上面の対角線状とすることによりもっとも大きく形成することができ、収容された袋状カバー１０をより取り出し易くする。なお、取り出し開口部２１自体の形状は実施例に限定するものではない。
【図面の簡単な説明】
【００２４】
【図１】この考案に係るフェイスカバーの一実施例を示す斜視図である。
【図２】この考案に係る箱入りフェイスカバーの一実施例を示す斜視図である。
【図３】図２の３−３断面図である。
【図４】袋状カバーの折り畳んで積層する状態を模式的に表した図である。
【図５】箱体の一実施例を示す斜視図である。
【図６】袋状カバーの折り畳み状態の例を示す図である。
【図７】同じく袋状カバーの折り畳み状態の例を示す図である。
【符号の説明】
【００２５】
　１０　袋状カバー
　１１　前面片
　１２　後面片
　１３　上端部
　１４，１５　側部
　１６　上半部
　１７　下半部
　１８　下端部
　２０　箱体
　２１　取り出し開口部２１
　２５　プラスチックフィルム
　２６　取り出しスリット
　Ｆ　　フェイスカバー
【図１】
0003100255.tif 000003
【図２】
0003100255.tif 000004
【図３】
0003100255.tif 000005
【図４】
0003100255.tif 000006
【図５】
0003100255.tif 000007
【図６】
0003100255.tif 000008
【図７】
0003100255.tif 000009